(57)【要約】【課題】吊帯の掛止部の変圧器の被掛止部からの外れを防止できるようにする。【解決手段】本発明に係る吊帯保持方法は、被吊物の外面の対向位置に設けられた被掛止部に、前記被吊物を吊るための吊帯の端部に設けた掛止部を掛け、前記被掛止部の間に前記吊帯を渡すようにして該吊帯によって前記被吊物を吊る際に、伸縮性を有する無端状の吊帯保持具を用いて、前記吊帯の掛止部を前記被吊物の前記被掛止部に保持する吊帯保持方法であって、前記吊帯保持具の両側の端部を捩じることで該端部に掛止輪を形成した前記吊帯保持具とし、前記掛止輪を、該前記被掛止部に下から掛けられた状態にある前記吊帯の前記掛止部ごとにその下から重ねて、前記吊帯保持具の伸縮性により前記掛止輪どうしが引かれ合った状態とする。【選択図】図１
2018090380.tif 000002
【特許請求の範囲】
【請求項１】
被吊物の外面の対向位置に設けられた被掛止部に、前記被吊物を吊るための吊帯の端部に設けた掛止部を掛け、前記被掛止部の間に前記吊帯を渡すようにして該吊帯によって前記被吊物を吊る際に、伸縮性を有する無端状の吊帯保持具を用いて、前記吊帯の掛止部を前記被吊物の前記被掛止部に保持する吊帯保持方法であって、
前記吊帯保持具の両側の端部を捩じることで該端部に掛止輪を形成した前記吊帯保持具とし、前記掛止輪を、該前記被掛止部に下から掛けられた状態にある前記吊帯の前記掛止部ごとにその下から重ねて、前記吊帯保持具の伸縮性により前記掛止輪どうしが引かれ合った状態とすることを特徴とする吊帯保持方法。
【請求項２】
底壁を備えた筒状の被吊物本体と、該被吊物本体の開口を閉塞する蓋体と、前記開口を閉塞した状態とするために設けられた閉塞具兼用の前記被掛止部とを備えた前記被吊物に対して、前記吊帯保持具を用いることを特徴とする請求項１に記載の吊帯保持方法。
【請求項３】
底壁を備えた筒状の被吊物本体と、該被吊物本体の開口を閉塞する蓋体と、該蓋体の上面に重なるよう設けられた蓋体押さえ部を有し、且つ前記被吊物本体の外面の対向位置に設けられた閉塞具兼用の被掛止部とを備えた被吊物に用いられる吊帯保持具であって、前記蓋体押さえ部どうしが対向する対向側先端の端面に幅方向に沿って掛止する掛止体と、該掛止体の一方の側面に一端が接続され、他方の側面に他端が接続された、前記被掛止部に掛止する伸縮部材とを備えたことを特徴とする吊帯保持具。
【請求項４】
前記伸縮部材は、前記被吊物の被掛止部に掛止された吊帯の両側部に重ねられる吊帯押圧用部材と、前記被吊物の被掛止部に掛止される吊帯固定用部材とを備えたことを特徴とする請求項３に記載の吊帯保持具。
【発明の詳細な説明】
【技術分野】
【０００１】
本発明は、例えば変圧器などの重量物を吊り上げる際に使用する吊帯保持方法および吊帯保持具に関する。
【背景技術】
【０００２】
従来より、被吊物をクレーン等の重機を用いて吊り上げる場合には、図１１に示すような吊帯３が用いられる。
【０００３】
吊帯３は、帯体３０と、該帯体３０の両端部に配置された輪状の掛止部３１，３１とを備える。被吊物としては、例えば変圧器４がある。該変圧器４は、有底円筒状の本体４０と、該本体４０の上面の開口を閉塞した蓋体４１と、本体４０の外周面にその径方向で対向するよう配置されて、蓋体４１が本体４０から外れないよう保持する保持具兼用の被掛止部４２とを備える。
【０００４】
吊帯３を用いて変圧器４を装柱する場合の玉掛け作業は、変圧器４の被掛止部４２に吊帯３の掛止部３１を下側から引掛け、つぎに、被掛止部４２から掛止部３１が外れないよう、被掛止部４２と掛止部３１とにバインド線Ｂを巻付けて、被掛止部４２に掛止部３１を固定する（図１１参照）。
【０００５】
しかし、バインド線Ｂの巻付け作業は煩雑である。そこで、被掛止部４２から掛止部３１が外れないように保持するための吊帯保持具が提供されている（特許文献１参照）。該吊帯保持具５は、図１２に示すように、伸縮性を有する帯体５０と、該帯体５０の両端部に配置された輪状の挿通部５１，５１とを備える。
【０００６】
この吊帯保持具５は、吊帯３の一側部を、帯体５０の一方の挿通部５１に挿通し、吊帯３の他側部を、帯体５０の他方の挿通部５１に挿通した状態で、変圧器４の被掛止部４２に吊帯３の掛止部３１を掛止させている。この状態から吊帯３を介して変圧器４を吊り上げると、吊帯３の両側部には、変圧器４の荷重と、吊帯保持具５の帯体５０の張力とがかかり、これにより、変圧器４の被掛止部４２に対する吊帯３の掛止部３１の外れを防止できる、という記載がある。
【先行技術文献】
【特許文献】
【０００７】
【特許文献１】特開２００７−２７６９７５号公報
【発明の概要】
【発明が解決しようとする課題】
【０００８】
前記吊帯保持具５は、吊帯３の一側部を、帯体５０の一方の挿通部５１に挿通し、吊帯３の他側部を、帯体５０の他方の挿通部５１に挿通した状態で、変圧器４の被掛止部４２に吊帯３の掛止部３１を掛止させているため、吊帯３を吊り上げるまでは、吊帯３の掛止部３１は、変圧器４の被掛止部４２から離れやすくなっており、玉掛け作業がしづらい、という問題がある。
【０００９】
そこで、本発明は、吊帯の掛止部の被吊物の被掛止部からの外れを防止できる吊帯保持方法および吊帯保持具を提供することを目的とする。
【課題を解決するための手段】
【００１０】
本発明は、被吊物の外面の対向位置に設けられた被掛止部に、前記被吊物を吊るための吊帯の端部に設けた掛止部を掛け、前記被掛止部の間に前記吊帯を渡すようにして該吊帯によって前記被吊物を吊る際に、伸縮性を有する無端状の吊帯保持具を用いて、前記吊帯の掛止部を前記被吊物の前記被掛止部に保持する吊帯保持方法であって、前記吊帯保持具の両側の端部を捩じることで該端部に掛止輪を形成した前記吊帯保持具とし、前記掛止輪を、該前記被掛止部に下から掛けられた状態にある前記吊帯の前記掛止部ごとにその下から重ねて、前記吊帯保持具の伸縮性により前記掛止輪どうしが引かれ合った状態とすることを特徴とする。
【００１１】
上記方法によれば、被吊物の被掛止部に引掛けられた吊帯の掛止部に、無端状の吊帯保持具の捩った両側部が下から重ねられ、吊帯保持具の伸縮性により掛止輪どうしが引かれ合った状態となり、吊帯の掛止部が被吊物の被掛止部に対し押さえつけられる。吊帯保持具の両側の端部を捩じることで形成した掛止輪は、捩ってある分だけ吊帯保持具の張力が大きくなるから、確実に抑えられる。そうすることで、被吊物の被掛止部に対する吊帯の掛止部の外れを防止できる。
【００１２】
底壁を備えた筒状の被吊物本体と、該被吊物本体の開口を閉塞する蓋体と、前記開口を閉塞した状態とするために設けられた閉塞具兼用の前記被掛止部とを備えた前記被吊物に対して、前記吊帯保持具を用いる方法を採用することができる。
【００１３】
上記方法により、底壁を備えた筒状の被吊物本体と、被吊物本体の開口を閉塞する蓋体と、開口を閉塞した状態とするために設けられた閉塞具兼用の被掛止部とを備えた被吊物に対して適用することができる。
【００１４】
本発明は、底壁を備えた筒状の被吊物本体と、該被吊物本体の開口を閉塞する蓋体と、該蓋体の上面に重なるよう設けられた蓋体押さえ部を有し、且つ前記被吊物本体の外面の対向位置に設けられた閉塞具兼用の被掛止部とを備えた被吊物に用いられる吊帯保持具であって、前記蓋体押さえ部どうしが対向する対向側先端の端面に幅方向に沿って掛止する掛止体と、該掛止体の一方の側面に一端が接続され、他方の側面に他端が接続された、前記被掛止部に掛止する伸縮部材とを備えたことを特徴とする。
【００１５】
上記構成によれば、被掛止部の蓋体押さえ部に掛止される掛止体を固定点として伸縮部材の一部を、吊帯の掛止部が掛止した被吊物の被掛止部に掛止させることで、伸縮部材の一部が吊帯の掛止部に重なり、伸縮部材の伸縮性により吊帯の掛止部が被吊物の被掛止部側に押さえつけられる。これにより、吊帯の掛止部が被吊物の被掛止部から外れることはない。
【００１６】
前記伸縮部材は、前記被吊物の被掛止部に掛止された吊帯の両側部に重ねられる吊帯押圧用部材と、前記被吊物の被掛止部に掛止される吊帯固定用部材とを備える構成を採用することができる。
【００１７】
上記構成によれば、被吊物の被掛止部に掛止された吊帯の一部と、該吊帯の一部から延びる両側部が押圧される。これにより、吊帯の掛止部が被吊物の被掛止部からより外れにくくなる。
【発明の効果】
【００１８】
以上のように、本発明によれば、吊帯の輪状の掛止部の被吊物の被掛止部からの外れを防止できる、といった効果を奏する。
【図面の簡単な説明】
【００１９】
【図１】図１は、本発明の一実施形態に係る吊帯保持方法に用いる吊帯保持具を示す正面図。
【図２】図２は、変圧器の被掛止部に吊帯の掛止部を掛止させた状態を示した拡大斜視図。
【図３】図３は、図２の状態において、吊帯の掛止部に吊帯保持具の一部を掛止させた状態を示す拡大斜視図。
【図４】図４は、吊帯保持具の一部から延びる両側部を引張りつつＸ字状に捩って一方の被掛止部に下から重ねた状態を示した拡大斜視図。
【図５】図５は、吊帯保持具の一部の反対側を、変圧器の他方の被掛止部側に引張っている状態を示した平面図。
【図６】図６は、吊帯保持具の一部の反対側を引張りつつＸ字状に捩って他方の被掛止部に下から重ねた状態を示した拡大斜視図。
【図７】図７は、本発明の別の実施形態に係る吊帯保持方法に用いる吊帯保持具を示す斜視図。
【図８】図８は、吊帯保持具を変圧器の一方の被掛止部に装着した状態を示した拡大図。
【図９】図９は、吊帯保持具を変圧器の一方の被掛止部に内側から外側に向かって引張った状態を示した拡大図。
【図１０】図１０は、吊帯保持具の下側掛止片と、左右の側部側掛止片とが、変圧器の押さえ部に掛止した状態を示した拡大図。
【図１１】図１１は、従来の玉掛け作業の図であり、変圧器の被掛止部に掛止させた、吊帯の掛止部にバインド線を巻き付けて、掛止部を固定した状態を示した図。
【図１２】図１２は、従来の吊帯保持具を示した図。
【発明を実施するための形態】
【００２０】
本発明の一実施形態に係る吊帯保持方法は、変圧器を吊持する際に用いられる吊帯を変圧器に対して保持する方法である。この方法には、吊帯を変圧器に対して保持する保持具が用いられる。ここでは、はじめに吊帯３について説明する。該吊帯３は、図１に示すように、帯体３０と、該帯体３０の両端部に配置された輪状の掛止部３１，３１とを備える。
【００２１】
つぎに変圧器について図１、図２、および図５を参照して説明する。該変圧器４は、被吊物本体４０と、蓋体４１とを備える。
【００２２】
被吊物本体４０は、上面が開口された有底円筒状（底壁を備えた筒状）で、内部には、変圧するための装置が絶縁油に浸漬されて収納されている（図示せず）。被吊物本体４０の上縁部の周面４０ａには、その径方向で対向するように複数の被掛止部４２が配置されている。
【００２３】
被掛止部４２は、被吊物本体４０の上縁部の周面４０ａに径外方向に突設され、周面４０ａ（外面）に対向位置に設けられている。具体的に、被掛止部４２は、閉塞具兼用であり、被吊物本体４０の軸方向に沿って下側に向かって延びる取付部４２０と、蓋体４１の上面４１ａを径内方向に延びる蓋押さえ部４３０とを備える。
【００２４】
取付部４２０の下端部の端面には、吊帯３の輪状の掛止部３１が掛止される下側掛止凹部４２１が形成されている。
【００２５】
蓋押さえ部４３０は、蓋体４１の上面４１ａに当接する当接面としての下面４３０ａと、左右の両側面４３０ｂ，４３０ｂと、蓋体押さえ部４３０どうしが対向する対向側先端の端面４３０ｃと、上面４３０ｄとを備えている。下面４３０ａの先端部側と蓋体４１の上面４１ａとの間に先端側掛止凹部４３１が形成され、両側面４３０ｂ，４３０ｂと蓋体４１の上面４１ａとの間に側部側掛止凹部４３２，４３２が形成されている。
【００２６】
蓋体４１は、円板状で、被吊物本体４０の上面の開口（図示せず）を閉塞すべく、該開口の周縁部に取り付けられている。
【００２７】
つぎに本実施形態に係る吊帯保持方法に用いる吊帯保持具について図１〜図３を参照して説明する。該吊帯保持具１Ａは、伸縮性を有し、かつ一定幅を有する、例えばゴム製の無端状の帯体である。
【００２８】
つぎに本実施形態に係る吊帯保持方法（吊帯保持具１Ａの使用方法）について説明する。まず、作業者は、図２に示すように、吊帯３の一方の輪状の掛止部３１を変圧器４の一方の被掛止部４２の下側掛止凹部４２１に下から引掛け、他方の輪状の掛止部３１を変圧器４の他方の被掛止部４２の下側掛止凹部４２１に下から引掛ける。
【００２９】
つぎに、作業者は、図３に示すように、吊帯保持具１Ａの一部１０ｂを吊帯３の一方の掛止部３１に重ねて変圧器４の一方の被掛止部４２の下側掛止凹部４２１に下側から引掛ける。
【００３０】
つぎに、作業者は、前記一部の両側から延びる吊帯保持具１Ａの両側部１０ａ，１０ａを上向きに引張りつつＸ字状に捩って掛止輪Ｗを形成し、吊帯３の一方の掛止部３１に下から重ねる（図４参照）。これにより、吊帯３の一方の掛止部３１の両側部に張力がかかり、吊帯３の一方の掛止部３１が変圧器４の一方の被掛止部４２に対し押さえつけられる。吊帯保持具１Ａの端部に形成された掛止輪Ｗは、捩ってある分だけ前記一方の被掛止部４２に対する張力が大きくなるため、前記一方の被掛止部４２を確実に押さえることができる。
【００３１】
つぎに、作業者は、図５に示すように、吊帯保持具１Ａの両側部１０ａ，１０ａに対する張力を維持しつつ、吊帯保持具１Ａの一部１０ｂとは反対側の部位を、変圧器４の他方の被掛止部４２に向かって引張り、両被掛止部４２の間に吊帯３を渡す。
【００３２】
つぎに、作業者は、図６に示すように、吊帯保持具１Ａの両側部１０ａ，１０ａをＸ字状に捩って吊帯３の他方の掛止部３１に下から重ねる。つぎに、作業者は、吊帯保持具１Ａの一部１０ｂとは反対側の部位１０ｂを、変圧器４の他方の被掛止部４２の下側掛止凹部４２１に下から引掛ける。この際、吊帯保持具１Ａの伸縮性により、両方の掛止輪Ｗ，Ｗどうしが引かれ合った状態となり、吊帯３の他方の掛止部３１の両側部に張力がかかり、吊帯３の他方の掛止部３１が変圧器４の他方の被掛止部４２に対し押さえつけられる。
【００３３】
このように、吊帯保持方法は、工具なしで、吊帯保持具１Ａを変圧器４の被掛止部４２に取付けできると共に、変圧器４の被掛止部４２に対する吊帯３の掛止部３１の外れを防止できる。
【００３４】
つぎに別の実施形態に係る吊帯保持方法に用いる吊帯保持具について図７〜図１０を参照して説明する。該吊帯保持具１Ｂは、図７に示すように、掛止体２と、伸縮部材２５，２６とを備える。掛止体２は、端面当接部２０と、左右の側面当接部２１，２１と、上面当接部２２とを備える。
【００３５】
端面当接部２０は、変圧器４の蓋体押さえ部４３０どうしが対向する対向側先端の端面４３０ｃに幅方向に沿って当接する。端面当接部２０の下端部には、蓋体押さえ部４３０の下側掛止凹部４２１に掛止する下側掛止片２００が斜め下方に向かって形成されている。
【００３６】
側面当接部２１は、図８に示すように、端面当接部２０の一方の端部と、他方の端部とにそれぞれ連設され、変圧器４の蓋体押さえ部４３０一方の側面４３０ｂに、一方の側面当接部２１が当接し、変圧器４の蓋体押さえ部４３０他方の側面４３０ｂに、他方の側面当接部２１が当接する。一方の側面当接部２１には、側部側掛止凹部４３２に掛止する側部掛止片２１０が内向きに突設されている。他方の側面当接部２１にも、前記と同様に、側部掛止片２１０が内向きに突設されている。
【００３７】
上面当接部２２は、端面当接部２０と、一方の側面当接部２１の上端部と、他方の側面当接部２１の上端部とで形成される開口を塞ぐように、端面当接部２０の上縁部と、一方の側面当接部２１の上端部と、他方の側面当接部２１の上端部とに連設され、変圧器４の蓋体押さえ部４３０の上面４３０ｄに当接する。
【００３８】
左右の側面当接部２１，２１と上面当接部２２とで、変圧器４の蓋体押さえ部４３０が挿入可能な開口２３が形成される。
【００３９】
下側掛止片２００と側部掛止片２１０と側面当接部２１とで、変圧器４の蓋体押さえ部４３０の周囲を囲む開口２４が形成されている。該開口２４と前記開口２３は連通している。
【００４０】
伸縮部材は、吊帯押圧用部材２５と、吊帯固定用部材２６とを備える。吊帯押圧用部材２５は、一方の側面当接部２１に一端が接続され、他方の側面当接部２１に他端が接続される。端面当接部２０と吊帯押圧用部材２５の中央部２５ａとの間の距離Ｈ１は、変圧器４の蓋体押さえ部４３０の長さよりも短い。
【００４１】
吊帯固定用部材２６は、吊帯押圧用部材２５の一方の側部の下縁部に一端が接続され、吊帯押圧用部材２５の他方の側部の下縁部に他端が接続される。吊帯固定用部材２６の端部から中央部２６ａの距離Ｈ２は、変圧器４の取付部４２０の長さよりも短い。
【００４２】
つぎに第二実施形態に係る吊帯保持具１Ｂの使用方法について説明する。まず、作業者は、吊帯３と、一対の吊帯保持具１Ｂを用意する。つぎに、作業者は、図８に示すように、吊帯３の一方の輪状の掛止部３１を、一方の吊帯保持具１Ｂの掛止体２と一方の吊帯押圧用部材２５との間に形成される空間Ｓに挿通するとともに、吊帯３の他方の輪状の掛止部３１を、他方の吊帯保持具１Ｂの掛止体２と吊帯押圧用部材２５との間に形成される空間Ｓに挿通する。
【００４３】
つぎに、作業者は、吊帯３の一方の輪状の掛止部３１を変圧器４の一方の被掛止部４２の下側掛止凹部４２１に下側から引掛け、他方の輪状の掛止部３１を変圧器４の他方の被掛止部４２の下側掛止凹部４２１に下側から引掛ける。
【００４４】
つぎに、作業者は、吊帯保持具を変圧器４の蓋体押さえ部４３０に取り付ける。具体的に、作業者は、図８に示すように、掛止体２の上面当接部２２と左右の側面当接部２１，２１とで形成される開口２４から変圧器４の被掛止部４２の蓋体押さえ部４３０を挿入する。
【００４５】
この際、蓋体押さえ部４３０の上面４３０ｄに上面当接部２２が当接し、蓋体押さえ部４３０の一方の側面４３０ｂに一方の側面当接部２１が当接し、蓋体押さえ部４３０の他方の側面４３０ｂに他方の側面当接部２１が当接する。また、掛止体２の下側掛止片２００と側部掛止片２１０とによって、変圧器４の蓋体押さえ部４３０の先端部の周囲が囲まれ、蓋体押さえ部４３０の下側掛止凹部４２１に掛止し、側部掛止片２１０が蓋体押さえ部４３０の側部側掛止凹部４３２に掛止する。これにより、変圧器４の被掛止部４２に対し掛止体２が位置固定される。
【００４６】
つぎに、作業者は、図９に示すように、吊帯押圧用部材２５を変圧器４の取付部４２０に引掛ける。これにより、吊帯３の掛止部３１は吊帯押圧用部材２５により押圧される。つぎに、作業者は、吊帯固定用部材２６を変圧器４の取付部４２０の下側掛止凹部４２１に掛止させ、掛止体２を変圧器４の蓋体押さえ部４３０に固定する。
【００４７】
すなわち、図１０に示すように、吊帯３の輪状の掛止部３１，３１に対し、該掛止部３１，３１は、その長さ方向に沿うように吊帯固定用部材２６が重なり、掛止部３１，３１に対し直交する方向に吊帯押圧用部材２５が重なるため、吊帯の掛止部３１，３１の略全体に吊帯押圧用部材２５吊帯固定用部材２６により押さえつける力が作用する。このため、吊帯３の掛止部３１，３１が変圧器４の被掛止部４２，４２から外れることはない。
【００４８】
このように、工具なしで、吊帯保持具１Ｂを変圧器４の被掛止部４２に取付けできると共に、変圧器４の被掛止部４２に対する吊帯３の掛止部３１，３１の外れを防止できる。
【００４９】
なお、本発明に係る吊帯保持具は、前記実施形態に限定することなく種々変更することができる。
【００５０】
例えば、前記第一実施形態では、吊帯保持具１Ａの一方を１回捩ってＸ字状にしたが、複数回（最低２回）捩るようにしてもよい。これにより、捩ってある分だけ吊帯保持具１Ａの張力は大きくなり、吊帯３の掛止部３１を確実に抑えることができる。
【００５１】
また、前記第一実施形態では、吊帯保持具１Ａの一部１０ｂを被吊物４の被掛止部４２に引掛けた後、捩るようにしたが、吊帯保持具１Ａの一部１０ｂを捩った後に、被吊物４の被掛止部４２に引掛けるようにしてもよい。
【００５２】
また、前記第二実施形態では、掛止体２を、端面当接部２０と、側面当接部２１，２１と、上面当接部２２とで構成するようにしたが、蓋体押さえ部４３０の先端側掛止凹部４３１に掛止する端面当接部２０のみであってもよい。
【００５３】
また、前記実施形態では、変圧器４の被掛止部４２に対し吊帯３を押さえつけるための吊帯押圧用部材２５と、変圧器４の被掛止部４２に対し掛止体２を固定するための吊帯固定用部材２６とを備えるようにしたが、掛止体２の両端に、該両端から斜め下方に向かって延びるよう一本の伸縮部材を接続するようにしてもよい。
【００５４】
また、前記実施形態では、被吊物として、蓋体４１を有する変圧器４を例にとって説明したが、蓋のない容器であってもよい。
【００５５】
また、前記実施形態では、両端部に輪状の掛止部３１，３１を有する吊帯３としたが、両端部にフックを有する吊帯であってもよい。
【００５６】
また、前記実施形態では、被吊物本体４０に蓋体４１を閉塞する蓋体押さえ部（閉塞具）４３０を設けるようにしたが、蓋体４１に閉塞具を設けるようにしてもよい。
【符号の説明】
【００５７】
１Ａ，１Ｂ…吊帯保持具、１０ａ…吊帯保持具の両側部、１０ｂ…吊帯保持具の一部、２…掛止体、２０…端面当接部、２００…下側掛止片、２１…側面当接部、２１０…側部掛止片、２２…上面当接部、２３，２４…開口、２５…吊帯押圧用部材、２５ａ…中央部、２６…吊帯固定用部材、３…吊帯、３０…帯体、３１…掛止部、４…変圧器、４０…被吊物本体、４０ａ…周面、４１…蓋体、４１ａ…上面、４２…被掛止部、４２０…取付部、４２１…下側掛止凹部、４３０…蓋体押さえ部、４３０ａ…蓋体押さえ部の下面、４３０ｂ…蓋体押さえ部の側面、４３０ｃ…蓋体押さえ部の対向側先端の端面、４３０ｄ…蓋体押さえ部の上面、４３１…先端側掛止凹部、４３２…側部側掛止凹部、５…吊帯保持具、５０…帯体、５１…挿通部、Ｂ…バインド線、Ｈ１，Ｈ２…距離、Ｓ…空間、Ｗ…掛止輪
【図１】
2018090380.tif 000003
【図２】
2018090380.tif 000004
【図３】
2018090380.tif 000005
【図４】
2018090380.tif 000006
【図５】
2018090380.tif 000007
【図６】
2018090380.tif 000008
【図７】
2018090380.tif 000009
【図８】
2018090380.tif 000010
【図９】
2018090380.tif 000011
【図１０】
2018090380.tif 000012
【図１１】
2018090380.tif 000013
【図１２】
2018090380.tif 000014